(57)【要約】【課題】建物の外観を良好に維持することができる昇降装置を提供する。【解決手段】建物（１）に鉛直に形成された昇降路（１１）及び該昇降路の内側の上下動するかご（５１）を備える昇降装置（１０）であって、昇降路が、該昇降路を構成する壁のうち、屋外に面した壁には、上下方向に配列された複数のパネル（２０）、及びパネルを制御する制御手段（３０）を具備し、パネルは、通電により光の透過率を変更可能な調光層（２２）を備え、制御手段はかごが対向した位置に配置されたパネルに対して光の透過率を変更する制御をおこなう手段である。【選択図】図２
2017165514.tif 000002
【特許請求の範囲】
【請求項１】
建物に鉛直に形成された昇降路及び該昇降路の内側の上下動するかごを備える昇降装置であって、
前記昇降路が、該昇降路を構成する壁のうち、屋外に面した壁には、上下方向に配列された複数のパネル、及び前記パネルを制御する制御手段を具備し、
前記パネルは、通電により光の透過率を変更可能な調光層を備え、
前記制御手段は前記かごが対向した位置に配置された前記パネルに対して光の透過率を変更する制御をおこなう手段である、昇降装置。
【請求項２】
前記昇降路の内部に、前記調光層に映像を表示させるプロジェクターを設置したことを特徴とする請求項１に記載の昇降装置。
【発明の詳細な説明】
【技術分野】
【０００１】
本発明は、昇降路及び昇降路内を昇降するかごを有する昇降装置に関し、かご内から外部を視認することができる展望機能を有する昇降装置に関する。
【背景技術】
【０００２】
昇降路、及び該昇降路内を昇降するかご室を有する昇降装置（いわゆるエレベーターを含む。）において、昇降路を形成する壁の一部、及びかご室の壁の一部が透明なパネルにより形成されているものがある。これにより、高層から、及び昇降中に利用者に対し展望を提供することができ、商業施設、観光施設等の高層の建築物に設置される場合がある。
【０００３】
例えば特許文献１には、見る角度によって透明又は曇りガラス状になる層を用いることで、隠蔽したいものを利用者から見えないようにする展望用のエレベーターが開示されている。
【先行技術文献】
【特許文献】
【０００４】
【特許文献１】特開平７−１７２７３８号公報
【発明の概要】
【発明が解決しようとする課題】
【０００５】
このように昇降路、及びかごの一部がガラス製となっているエレベーターにおいては、エレベーターの利用客にとっては高層、及び昇降中に展望を楽しめるという利点があるものの、建築物を外部から見た場合、昇降路内のエレベーターの主ロープ、制御ケーブル等の機械内部が建築物の外部から見えることになり、外観上好ましくない。また商業施設では、壁面に広告等を掲示する場合があるが、このような昇降路には広告を掲示することができず、スペースの有効な利用が妨げられる等の問題があった。
【０００６】
そこで本発明は、かかる問題に鑑み、建物の外観を良好に維持することができる昇降装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
本発明の１つの態様は、建物（１）に鉛直に形成された昇降路（１１）及び該昇降路の内側の上下動するかご（５１）を備える昇降装置（１０）であって、昇降路が、該昇降路を構成する壁のうち、屋外に面した壁には、上下方向に配列された複数のパネル（２０）、及びパネルを制御する制御手段（３０）を具備し、パネルは、通電により光の透過率を変更可能な調光層（２２）を備え、制御手段はかごが対向した位置に配置されたパネルに対して光の透過率を変更する制御をおこなう手段である、昇降装置により課題を解決する。
【０００９】
昇降装置（１０）には、昇降路（１１）の内部に、調光層（２２）に映像を表示させるプロジェクターを設置することができる。
【発明の効果】
【００１０】
本発明によれば、建物の外観を良好に保ちつつ、かご内からは景観を楽しむことが可能となる。
【図面の簡単な説明】
【００１１】
【図１】図１（ａ）、図１（ｂ）は１つの形態にかかる昇降装置１０が配置された建物１の外観を模式的に示した図である。
【図２】昇降装置１０の外観斜視図である。
【図３】昇降装置１０の鉛直方向断面図である。
【図４】昇降装置１０の水平方向断面図である。
【図５】パネル２０の層構成を説明する図である。
【発明を実施するための形態】
【００１２】
以下本発明を図面に示す形態に基づき説明する。ただし本発明は当該形態に限定されるものではない。
【００１３】
図１は１つの形態にかかる昇降装置１０が配置された建物１の外観を模式的に示した図である。図１（ａ）は昇降装置１０に具備される全てのパネル２０の光の透過率が低く制限され昇降路１１内の全てが隠蔽されている場面である。図１（ｂ）は、昇降装置１０が利用され、かご５１内に利用者が存在し、かご５１の正面に配置されたパネル２０のみについて光の透過率が低くされ、景観を観察できる状態にした場面である。
図２は昇降装置１０を模式的に示した昇降装置１０の外観斜視図、図３は昇降装置１０の鉛直方向断面図、図４は昇降装置１０の水平方向断面図である。図３では紙面左が室外側、紙面右が室内側、図４では紙面上方が室外側、紙面下方が室内側である。以下、図２〜図４及び適宜示す図を参照しつつ昇降装置１０について説明する。
【００１４】
昇降装置１０は、昇降路１１及びかご５１を有して構成されている。昇降装置１０は、建物１の各階を貫通して設けられる上下に延びる通路であり、この中をかご５１を移動させることにより、かご５１内の人や物を所望の階に運ぶものである。これはいわゆるエレベータであり、昇降路１１内をかご５１を移動させたり、必要に応じて階で扉を開閉したりする動作は公知のエレベーターと同じである。従ってかかる通常の機能を発揮するための各種公知の装置は本形態の昇降装置１０にも備えられおり、説明は省略する。
【００１５】
昇降路１１は建物１の各階を貫通して設けられる上下に延びる通路である。昇降路１１は、該昇降路１１を形成する壁面のうち、屋外に面する壁には、上下方向に複数のパネル２０が配置されている。また、昇降路１１のうちパネル２０に対向する側の壁面は、各階ごとに扉１２が設けられ人や物の出入りが可能となっている。さらに、昇降路１１には不図示のセンサ及びパネル２０を制御する制御手段３０を備えられている。ただし制御手段３０は必ずしも昇降路１１に備えられている必要はなく、その設置場所は特に限定されない。
【００１６】
本形態でパネル２０は、図３、図４に表れているように、透明パネル２１、及び調光層２２を有して構成されている。図５には、パネル２０の層構成を説明するための図を示した。
透明パネル２１は、通常のビルの開口部装置やカーテンウォール等の建物に用いられる透明なガラスパネル又は樹脂パネルである。従って、透明パネル２１は公知のものを用いることができる。なお、本形態では透明パネル２１は単層のガラスパネルにより構成されているが、複層のガラスパネルが用いられてもよい。
【００１７】
調光層２２は、透明パネル２１のうちの少なくとも一方の面に積層される層であり、通電により光の透過率を変更することができる層である。本形態では調光層２２は透明パネル２１の室内側面に不図示の粘着剤により貼合されている。
粘着剤としては、光学用途に対応した粘着剤を用いることが好ましい。具体的には、粘着層の全光線透過率が９０％以上であり、ヘイズが１．０以下となるように粘着剤の種類と厚さを選定することが好ましい。市販の粘着剤では、ＣＳ９６２１、ＨＪ９１５０Ｗ（日東電工製）、ＤＨ４２５Ａ（サンエー化研製）、ＺＡＣＲＯＳ  ＴＲ−１８０１Ａ（藤森工業製）、ＰＤ−Ｓ１（パナック製）、ＭＯ−３００６Ｃ、ＭＯ−３０１２Ｃ（リンテック製）等を用いることができる。
【００１８】
図５からわかるように調光層２２は、第１支持板２３、第１支持板２３に所定の間隔を有して配置された第２支持板２４、及び、第１支持板２３と第２支持板２４との間に配置された液晶層２５を備えている。
【００１９】
第１支持板２３及び第２支持板２４は、液晶層２５を挟むようにして支持するとともに、液晶層２５に電界を印加する機能を有する。第１支持板２３は、第１基材２３ａと、第１基材２３ａの一方の面に設けられた第１透明導電層２３ｂとを有している。また、第２支持板２４は、第２基材２４ａと、第２基材２４ａの一方の面に設けられた第２透明導電層２４ｂとを有している。本形態では、調光層２２は、第１基材２３ａ、第１透明導電層２３ｂ、液晶層２５、第２透明導電層２４ｂ、及び第２基材２４ａがこの順に積層されている。従って、液晶層２５の一方の面に第１透明導電層２３ｂ、他方の面に第２透明導電層２４ｂが配置されている。
【００２０】
第１基材２３ａ、第２基材２４ａは、第１透明導電層２３ｂ、第２透明導電層２４ｂをそれぞれ支持する支持体として機能する。第１基材２３ａ、第２基材２４ａの材料としてしては、特に限定されるものではなく、例えば可撓性を有する各種の透明なフィルム材を用いることができる。具体的な例としては、ポリエチレンテレフタレート（ＰＥＴ）、ポリエチレンナフタレート（ＰＥＮ）等のポリエステル樹脂、ポリメチルメタクリレート（ＰＭＭＡ）等のアクリル樹脂、ポリプロピレン（ＰＰ）等のポリオレフィン樹脂、トリアセリルセルロース（三酢酸セルロース；ＴＡＣ）等のセルロース系樹脂、シクロオレフィンポリマー（ＣＯＰ）、ポリカーボネート（ＰＣ）樹脂などを含有するフィルム材料を用いることができる。
また第１基材２３ａ、第２基材２４ａの厚さは、例えば２０μｍ以上３００μｍ以下のものを用いることが効果的でより好ましくは５０μｍ以上１５０μｍ以下とすることもできる。
【００２１】
第１透明導電層２３ｂ、第２透明導電層２４ｂは、通電されることにより液晶層２５に電界を印加し、これにより液晶層２５の後述する高分子マトリクス中に分散された液晶材料に含まれる液晶分子の向きを変化させる。
【００２２】
第１透明導電層２３ｂ、第２透明導電層２４ｂとしては、液晶層２５において液滴が分散された透明高分子樹脂層にほぼ均一な電界を印加することが可能であって、透明と知覚される種々の構成のものを適用することができる。例えば、透明導電材であるＩＴＯ（Indium Tin Oxide）、ＩＺＯ(Indium Zinc Oxide)、ＡＺＯ(Aluminum-doped Zinc Oxide)、ＺＮＯ(Zinc Oxide)等の金属酸化物膜のほか、導電性高分子膜、銀ナノワイヤー、カーボンナノチューブ等を用いることができる。透明導電層のシート抵抗としては、特に限定されないが、１００Ω□以上３００Ω／□以下、光透過率としては８５％以上であることが好ましい。
本形態においては、このような透明導電材による透明導電層膜を、上述した透明な第１基材、第２基材の全面に形成して用いることができる。
【００２３】
液晶層２５は、第１透明導電層２３ｂ及び第２透明導電層２４ｂによる電界の印加状態に基づいて、液晶層２５を介した透視性を変化させる。液晶層２５は、本形態では高分子マトリクスと、この高分子マトリクス中に分散された液晶材料と、スペーサと、を有する。
【００２４】
液晶層２５は、一例として、重合性を有するモノマーと光重合開始剤、及び重合基を有しない液晶材料を混合し、モノマーが光重合する際に液晶が相分離することにより形成させることができる。これにより、モノマーが重合したものが液晶層２５の高分子マトリクスをなすようになり、相分離した重合基を有しない液晶材料が液晶層２５の液晶材料をなすようになる。
【００２５】
液晶材料は、長手方向を有する液晶分子を含んだ液状の材料である。液晶分子はその形状に対応した屈折率異方性を有している。すなわち、液晶分子の長手方向に直交する方向における屈折率と、液晶分子の長手方向平行な方向での屈折率とは異なっている。このような液晶材料としては、特に限定されないがＥ７(メルク社)等のネマティック材料を用いることができる。重合性を有するモノマーとしては、液晶を相分離させることが可能でかつ透明であればよく、単官能、多官能いずれの重合性モノマー（重合性基）を有する樹脂を使用することができる。このような樹脂としては、例えば、メチル（メタ）アクリレート等の単官能（メタ）アクリレート類、１，６−ヘキサンジオールジ（メタ）アクリレート、トリメチロールプロパントリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート等の多官能（メタ）アクリレート類等が挙げられる。なお、（メタ）アクリレートとの表記は、アクリレート又はメタクリレートを意味する。また、アクリル系以外にも、カチオン重合性モノマーとして、３，４−エポキシシクロヘキセニルメチル−３’，４’−エポキシシクロヘキセンカルボキシレート等の脂環式エポキシド類、ビスフェノールＡジグリシジルエーテル等のグリシジルエーテル類等が挙げられる。これら重合性モノマーは、要求される性能、塗布適性等に応じて、１種類単独、又は２種類以上を併用して用いることができる。
【００２６】
光重合開始剤としては特に限られることなく種々の光重合開始剤を使用することができる。例えば、ベンゾイン及びそのアルキルエーテル化物、ベンジルケタール類、アセトフェノン類、アセトフェノン類としては、例えばヒドロキシアセトフェノン、アミノアセトフェノン、ジアルコキシアセトフェノン、ハロゲン化アセトフェノン等を使用することができる。これらの光重合開始剤は、例えば、イルガキュア（登録商標）９０７、イルガキュア６５１、イルガキュア１８４等の商品が市販されており、これらを単独で、あるいは混合して用いることができる。
【００２７】
スペーサは第１支持板２３と第２支持板２４との間隔を所定の大きさに保持し、これにより液晶層２５の厚さを所定の大きさに維持する機能を有する。スペーサとしては、例えばプラスチックビーズ等の光透過性の高い樹脂製のものを用いることができる。スペーサの形態は特に限定されることはなく、球状や他の形状であってもよい。
【００２８】
このようにして形成された調光層２２では、液晶分子が配向されている状態において、液晶分子の長手方向に直交する方向における屈折率と高分子マトリクスの屈折率とが揃う。この状態において、調光層２２に入射した光は、進行方向を大きく曲げることなく、調光層２２を透過することができる。すなわち、液晶分子が配向されている状態において、調光層２２は低ヘイズ状態となる。従ってこのときには調光層２２は透明で光の透過率が高い状態となる。
【００２９】
一方、調光層２２において、液晶分子が配向されていない状態では、液晶分子の長手方向の向きが、当該液晶分子の近傍に位置する高分子マトリクスにも依存して不規則になる。この状態において、調光層２２に入射した光は、拡散される。すなわち、液晶分子が配向されていない状態において、調光層２２のヘイズは高い状態となる。このときには調光層２２は白濁した曇りガラスのような状態となり、光の透過率が低く、調光層２２を介して反対側の視認性が悪くなる。
【００３０】
本形態では、調光層が高分子分散型液晶を含むことにより形成される例を示した。ただし、通電により光の透過率を変更することができればこれに限られることはなく、調光層が懸濁粒子デバイスを含む態様、調光層がゲスト−ホスト式液晶を含む態様、調光層がエレクトロクロミック素子を含む態様などにより構成することもできる。
【００３１】
図２に戻ってセンサ及び制御手段３０について説明する。不図示のセンサは、かご５１が昇降路１１のどの位置に存在しているか、及びかご５１の利用者の有無を検知するセンサである。従って、このようなセンサであればその具体的な形態は特に限定されるものではない。
かごの位置を特定するセンサは昇降路１１に所定の間隔で設けられてもよいし、かご５１を昇降させる手段に設けられていてもよい。通常の昇降装置にはかごの位置の常に把握してその昇降を制御しているので、この昇降制御のデータを兼用で用いることもできる。
また、かごの利用者の有無の検知は、かご５１の内側に人感センサを設置すればよい。
【００３２】
制御手段３０は、かご５１の位置を上記センサから取得し、かご５１が存在する位置の正面に配置されたパネル２０の調光層２２に対して、調光層２２を低ヘイズ状態とし、調光層２２の光の透過率を高くして透明な状態とするように制御する。一方、それ以外のパネル２０の調光層２２はヘイズが高い状態とし、白濁した曇りガラスのようにして光の透過率を低下させて反対側の視認性が悪くなるように制御する。
従って制御手段３０は、調光層２２の第１透明導電層２３ｂ及び第２透明導電層２４ｂに電気的に接続されている。
【００３３】
制御手段３０は、センサ、調光層２２の第１透明導電層２３ｂ及び第２透明導電層２４ｂに接続された制御回路基板を有している。この回路には、例えば制御部が含まれ、ＣＰＵ（Central Processing Unit）を有して調光層２２の制御をおこなう。制御部には、必要に応じてＲＯＭ（Read Only Memory）及びＲＡＭ（Random Access Memory）が設けられ、ＲＯＭに保存されたプログラムをＲＡＭに展開して、このプログラムをＣＰＵで演算、実行するようにしてもよい。
このＲＯＭに保存されたプログラムには、センサから得られるかご５１の位置情報信号に基づき、複数のパネル２０のうちの必要なパネル２０の第１透明導電層２３ｂ及び第２透明導電層２４ｂへの通電等をおこなうプログラムが含まれてもよい。
【００３４】
次にかご５１について説明する。かご５１は、通常の昇降装置に備えられる公知のかごを適用することができる。ただし、かご５１のうち屋外側でパネル２０に対向する壁には透明パネル５２が備えられている。これによりかご５１の内側から屋外を見ることができる。また、かご５１には通常通り、扉５３が設けられ、人や物の出入りが可能とされている。
【００３５】
以上のようにして構成された昇降装置１０は例えば次のように作用する。
かご５１の利用者がいない場合には、制御手段３０の指令によりパネル２０の調光層２２は光の透過率が低く抑えられ外部から昇降路１１の内側が見えないように隠蔽される。従って、建物の外観も良好なものとなる。
【００３６】
また、この場合には、パネル２０をスクリーンとして利用することもできるため、広告等の映像を映し出すことが可能となる。従って、建物１の壁面の有効利用ができる。より具体的には、昇降路１１の内側に、パネル２０の調光層２２に対して映像を出射するプロジェクターを設置することにより、調光層２２をスクリーンとして利用することが可能となる。
【００３７】
一方、かご５１に人が乗り込み、センサによりかご５１の利用が検知された際には、制御手段３０の指令により、かご５１の透明パネル５２が対向する位置におけるパネル３０の調光層２２に対して光の透過率を高め、外部を視認することができるように制御する。そしてかご５１の透明パネル５２が通り過ぎた後には、再び光の透過率が低く抑えられ外部から昇降路１１の内側が見えないように隠蔽される。
これによれば、かご５１の利用者は、かご５１を利用している間、透明パネル５２及びパネル２０を通して景観を楽しむことができる。一方、かご５１が存在しない部分は隠蔽されているので、建物外観も良好な状態が維持される。
【００３８】
以上のように、本発明によれば、建物の外観を良好に保ちながらかご内からは景観を楽しむことが可能となる。
【符号の説明】
【００３９】
１  建物
１０  昇降装置
１１  昇降路
１２  扉
２０  パネル
２１  透明パネル
２２  調光層
２３  第１支持板
２４  第２支持板
２５  液晶層
５１  かご
５２  透明パネル
５３  扉
【図１】
2017165514.tif 000003
【図２】
2017165514.tif 000004
【図３】
2017165514.tif 000005
【図４】
2017165514.tif 000006
【図５】
2017165514.tif 000007